(57)【要約】      （修正有）【課題】近距離通信の通信設定を容易に行なえる通信制御方法を提供する。【解決手段】管理サーバ２は、第１，第２の通信端末３，４に位置問い合わせ要求を行い、第１，第２の通信端末３，４は、この要求に応じて現在位置を管理サーバ２にそれぞれ送信し、管理サーバ２は、受信した第１，第２の通信端末３，４の現在位置に基づいて、第１，第２の通信端末３，４が近距離通信Ｌ２の可能な通信範囲にあるか否かを判定し、第１，第２の通信端末３，４がこの通信範囲内にあると判定すると、第２の通信端末４と近距離通信Ｌ２を行うための第１の通信設定情報を第１の通信端末３に送信し、第１の通信端末３と近距離通信Ｌ２を行うための第２の通信設定情報を第２の通信端末４に送信する。【選択図】図６
2009303144.tif 000002
【特許請求の範囲】
【請求項１】
所定の近距離通信を行うための近距離通信装置と、現在位置を検出するための位置検出装置とを備えた通信端末であって、
前記近距離通信の通信設定情報を管理する管理サーバからの位置問い合わせ要求を受信すると、前記位置検出装置を用いて現在位置を検出する位置検出手段と、
前記位置検出手段によって検出された前記現在位置を示す位置情報を、前記管理サーバに送信する位置情報送信手段と、
前記位置情報送信手段による前記位置情報の送信後、前記近距離通信の通信相手として前記管理サーバに予め登録されており前記位置情報から前記近距離通信が可能と前記管理サーバによって判定された他通信端末と前記近距離通信を行うための通信設定情報を、前記管理サーバから受信する通信設定情報受信手段と、
前記通信設定情報受信手段によって受信された前記通信設定情報に基づき、前記他通信端末と前記近距離通信を行うための通信設定を行う通信設定手段と
を備える、ことを特徴とする通信端末。
【請求項２】
前記近距離通信用の第１の通信アドレスを含む第１の機器情報を、前記管理サーバに送信する機器情報送信手段を更に備え、
前記通信設定情報は、前記他通信端末の前記近距離通信用の第２の通信アドレスを含む第２の機器情報を含む、ことを特徴とする請求項１に記載の通信端末。
【請求項３】
通信端末によって行われる所定の近距離通信の通信設定情報を管理する管理サーバであって、
前記近距離通信が可能であり前記近距離通信を相互に行うように予め登録されている第１及び第２の通信端末のそれぞれに位置問い合わせ要求を送信する要求送信手段と、
前記位置問い合わせ要求が前記要求送信手段によって送信された後、前記第１の通信端末の現在位置を示す第１の位置情報を前記第１の通信端末から受信し、前記第２の通信端末の現在位置を示す第２の位置情報を前記第２の通信端末から受信する位置情報受信手段と、
前記位置情報受信手段によって受信された前記第１及び第２の位置情報に基づいて、前記第１及び第２の通信端末が前記近距離通信を相互に行える所定の通信範囲内にあるか否かを判定する判定手段と、
前記第１及び第２の通信端末が前記通信範囲内にあると前記判定手段によって判定されると、前記第２の通信端末と前記近距離通信を行うための第１の通信設定情報を前記第１の通信端末に送信し、前記第１の通信端末と前記近距離通信を行うための第２の通信設定情報を前記第２の通信端末に送信する通信設定情報送信手段と
を備える、ことを特徴とする管理サーバ。
【請求項４】
前記第１及び第２の通信端末から、前記第１の通信端末の前記近距離通信用の第１の通信アドレスを含む第１の機器情報と、前記第２の通信端末の前記近距離通信用の第２の通信アドレスを含む第２の機器情報とを受信する機器情報受信手段を更に備え、
前記要求送信手段は、前記第１及び第２の機器情報が前記機器情報受信手段により受信されると、前記第１及び第２の通信端末のそれぞれに位置問い合わせ要求を送信し、
前記通信設定情報送信手段は、前記第１及び第２の通信端末が前記通信範囲内にあると前記判定手段によって判定されると、前記第２の機器情報を含み前記第２の通信端末と前記近距離通信を行うための第１の通信設定情報を前記第１の通信端末に送信し、前記第１の機器情報を含み前記第１の通信端末と前記近距離通信を行うための第２の通信設定情報を前記第２の通信端末に送信する、ことを特徴とする請求項３に記載の管理サーバ。
【請求項５】
所定の近距離通信を行うための近距離通信装置と現在位置を検出するための位置検出装置とを有する第１の通信端末と、前記近距離通信の通信設定情報を管理する管理サーバとを備えた通信システムであって、
前記第１の通信端末は、
前記管理サーバから位置問い合わせ要求を受けると、前記位置検出装置を用いて現在位置を検出する位置検出手段と、
前記位置検出手段によって検出された前記現在位置を示す第１の位置情報を、前記管理サーバに送信する位置情報送信手段と、
前記位置情報送信手段による前記第１の位置情報の送信後、前記近距離通信の通信相手として前記管理サーバに予め登録されており前記第１の位置情報から前記近距離通信が可能と前記管理サーバによって判定された第２の通信端末と前記近距離通信を行うための第１の通信設定情報を、前記管理サーバから受信する通信設定情報受信手段と、
前記通信設定情報受信手段によって受信された前記第１の通信設定情報に基づき、前記第２の通信端末と前記近距離通信を行うための通信設定を行う通信設定手段とを有し、
前記管理サーバは、
前記第１及び第２の通信端末のそれぞれに位置問い合わせ要求を送信する要求送信手段と、
前記位置問い合わせ要求が前記要求送信手段によって送信された後、前記第１の位置情報を前記第１の通信端末から受信し、前記第２の通信端末の現在位置を示す第２の位置情報を前記第２の通信端末から受信する位置情報受信手段と、
前記位置情報受信手段によって受信された前記第１及び第２の位置情報に基づいて、前記第１の通信端末と前記第２の通信端末とが前記近距離通信を相互に行える所定の通信範囲内にあるか否かを判定する判定手段と、
前記第１及び第２の通信端末が前記通信範囲内にあると前記判定手段によって判定されると、前記第２の通信端末と前記近距離通信を行うための第１の通信設定情報を前記第１の通信端末に送信し、前記第１の通信端末と前記近距離通信を行うための第２の通信設定情報を前記第２の通信端末に送信する通信設定情報送信手段と
を有する、ことを特徴とする通信システム。
【請求項６】
前記第１の通信端末は、前記近距離通信用の第１の通信アドレスを含む第１の機器情報を前記管理サーバに送信する機器情報送信手段を更に有し、
前記位置検出手段は、前記機器情報送信手段による前記第１の機器情報の送信後に前記管理サーバからの位置問い合わせ要求を受けると、前記位置検出装置を用いて現在位置を検出し、
前記管理サーバは、前記第１の機器情報を前記第１の通信端末から受信し、前記第２の通信端末の前記近距離通信用の第２の通信アドレスを含む第２の機器情報を前記第２の通信端末から受信する機器情報受信手段を更に有し、
前記要求送信手段は、前記第１及び第２の機器情報が前記機器情報受信手段によって受信されると、前記第１及び第２の通信端末のそれぞれに前記位置問い合わせ要求を送信し、
前記通信設定情報送信手段は、前記第１及び第２の通信端末が前記通信範囲内にあると前記判定手段によって判定されると、前記第２の機器情報を含み前記第２の通信端末と前記近距離通信を行うための第１の通信設定情報を前記第１の通信端末に送信し、前記第１の機器情報を含み前記第１の通信端末と前記近距離通信を行うための第２の通信設定情報を前記第２の通信端末に送信する、ことを特徴とする請求項５に記載の通信システム。
【請求項７】
通信端末によって行われる所定の近距離通信の通信設定情報を管理する管理サーバと、前記近距離通信が可能であり前記近距離通信を相互に行うよう前記管理サーバに予め登録されている第１及び第２の通信端末とを備えた通信システムを用いた通信制御方法であって、
前記管理サーバが前記第１及び第２の通信端末のそれぞれに位置問い合わせ要求を送信する要求送信ステップと、
前記第１及び第２の通信端末が前記位置問い合わせ要求をそれぞれ受信すると、前記第１の通信端末の現在位置を示す第１の位置情報を前記第１の通信端末が前記管理サーバに送信し、前記第２の通信端末の現在位置を示す第２の位置情報を前記第２の通信端末が前記管理サーバに送信する位置情報送信ステップと、
前記管理サーバが前記第１及び第２の位置情報を受信すると、前記第１及び第２の位置情報に基づいて、前記第１の通信端末と前記第２の通信端末とが前記近距離通信を相互に行える所定の通信範囲内にあるか否かを前記管理サーバが判定する判定ステップと、
前記判定ステップにおいて前記第１及び第２の通信端末が前記通信範囲内にあると判定された場合、前記第２の通信端末と前記近距離通信を行うための第１の通信設定情報を前記第１の通信端末に送信し、前記第１の通信端末と前記近距離通信を行うための第２の通信設定情報を前記管理サーバが前記第２の通信端末に送信する通信設定情報送信ステップと、
前記第１及び第２の通信端末が前記第１及び第２の通信設定情報をそれぞれ受信すると、前記第１及び第２の通信端末が、前記第１及び第２の通信設定情報をそれぞれ用いて前記近距離通信を相互に行うための通信設定を行う通信設定ステップと
を有する、ことを特徴とする通信制御方法。
【発明の詳細な説明】
【技術分野】
【０００１】
本発明は、通信端末と、管理サーバと、通信システムと、通信制御方法とに関する。
【背景技術】
【０００２】
近時、Ｂｌｕｅｔｏｏｔｈ（登録商標）と称する近距離通信規格が広く利用されている。特許文献１には、このような近距離通信規格を用いた通信装置が開示されている。特許文献１の通信装置は、近距離通信用の第１及び第２の受信回路と、この第１及び第２の受信回路を用いて近距離通信のダイバーシティを実行制御する制御手段とを備える。
【特許文献１】特開２００２−２３７７６４号公報
【発明の開示】
【発明が解決しようとする課題】
【０００３】
このような近距離通信を行うためには、相互に通信を行う二つの通信装置に対して近距離通信用の通信設定を行う必要がある。例えば特許文献１のようなＢｌｕｅｔｏｏｔｈ（登録商標）規格の通信設定を行うには、相互に通信を行う二つの通信装置をペアリングモード（ペアリング：通信相手の端末を特定し、この通信相手の端末と通信できるようにするための通信設定処理）に設定し、それぞれの通信装置に対しＰＩＮコード情報を入力する等、ユーザによる複数の手動操作が必要となる。このように、近距離通信用の通信設定を行うには、ユーザによる複数の手動操作が必要となるので、ユーザにとって手間である。そこで本発明の目的は、近距離通信の通信設定が容易に行える通信端末、管理サーバ、通信システム及び通信制御方法を提供することである。
【課題を解決するための手段】
【０００４】
本発明の通信端末は、所定の近距離通信を行うための近距離通信装置と、現在位置を検出するための位置検出装置とを備えた通信端末であって、上記近距離通信の通信設定情報を管理する管理サーバからの位置問い合わせ要求を受信すると、上記位置検出装置を用いて現在位置を検出する位置検出手段と、上記位置検出手段によって検出された上記現在位置を示す位置情報を、上記管理サーバに送信する位置情報送信手段と、上記位置情報送信手段による上記位置情報の送信後、上記近距離通信の通信相手として上記管理サーバに予め登録されており上記位置情報から上記近距離通信が可能と上記管理サーバによって判定された他通信端末と上記近距離通信を行うための通信設定情報を、上記管理サーバから受信する通信設定情報受信手段と、上記通信設定情報受信手段によって受信された上記通信設定情報に基づき、上記他通信端末と上記近距離通信を行うための通信設定を行う通信設定手段とを備える、ことを特徴とする。そして本発明の通信端末では、上記近距離通信用の第１の通信アドレスを含む第１の機器情報を、上記管理サーバに送信する機器情報送信手段を更に備え、上記通信設定情報は、上記他通信端末の上記近距離通信用の第２の通信アドレスを含む第２の機器情報を含む、ことを特徴とする。
【０００５】
本発明の通信端末によれば、他通信端末と近距離通信を行うための通信設定情報が管理サーバから提供されるので、ユーザによる手動操作が行われることなく、この通信設定情報に基づいて近距離通信の通信設定が自動的に実行可能となる。
【０００６】
本発明の管理サーバは、通信端末によって行われる所定の近距離通信の通信設定情報を管理する管理サーバであって、上記近距離通信が可能であり上記近距離通信を相互に行うように予め登録されている第１及び第２の通信端末のそれぞれに位置問い合わせ要求を送信する要求送信手段と、上記位置問い合わせ要求が上記要求送信手段によって送信された後、上記第１の通信端末の現在位置を示す第１の位置情報を上記第１の通信端末から受信し、上記第２の通信端末の現在位置を示す第２の位置情報を上記第２の通信端末から受信する位置情報受信手段と、上記位置情報受信手段によって受信された上記第１及び第２の位置情報に基づいて、上記第１及び第２の通信端末が上記近距離通信を相互に行える所定の通信範囲内にあるか否かを判定する判定手段と、上記第１及び第２の通信端末が上記通信範囲内にあると上記判定手段によって判定されると、上記第２の通信端末と上記近距離通信を行うための第１の通信設定情報を上記第１の通信端末に送信し、上記第１の通信端末と上記近距離通信を行うための第２の通信設定情報を上記第２の通信端末に送信する通信設定情報送信手段とを備える、ことを特徴とする。そして、本発明の管理サーバでは、上記第１及び第２の通信端末から、上記第１の通信端末の上記近距離通信用の第１の通信アドレスを含む第１の機器情報と、上記第２の通信端末の上記近距離通信用の第２の通信アドレスを含む第２の機器情報とを受信する機器情報受信手段を更に備え、要求送信手段は、上記第１及び第２の機器情報が上記機器情報受信手段により受信されると、上記第１及び第２の通信端末のそれぞれに位置問い合わせ要求を送信し、上記通信設定情報送信手段は、上記第１及び第２の通信端末が上記通信範囲内にあると上記判定手段によって判定されると、上記第２の機器情報を含み上記第２の通信端末と上記近距離通信を行うための第１の通信設定情報を上記第１の通信端末に送信し、上記第１の機器情報を含み上記第１の通信端末と上記近距離通信を行うための第２の通信設定情報を上記第２の通信端末に送信する、ことを特徴とする。
【０００７】
本発明の通信システムは、所定の近距離通信を行うための近距離通信装置と現在位置を検出するための位置検出装置とを有する第１の通信端末と、上記近距離通信の通信設定情報を管理する管理サーバとを備えた通信システムであって、上記第１の通信端末は、上記管理サーバから位置問い合わせ要求を受けると、上記位置検出装置を用いて現在位置を検出する位置検出手段と、上記位置検出手段によって検出された上記現在位置を示す第１の位置情報を、上記管理サーバに送信する位置情報送信手段と、上記位置情報送信手段による上記第１の位置情報の送信後、上記近距離通信の通信相手として上記管理サーバに予め登録されており上記第１の位置情報から上記近距離通信が可能と上記管理サーバによって判定された第２の通信端末と上記近距離通信を行うための第１の通信設定情報を、上記管理サーバから受信する通信設定情報受信手段と、上記通信設定情報受信手段によって受信された上記第１の通信設定情報に基づき、上記第２の通信端末と上記近距離通信を行うための通信設定を行う通信設定手段とを有し、上記管理サーバは、上記第１及び第２の通信端末のそれぞれに位置問い合わせ要求を送信する要求送信手段と、上記位置問い合わせ要求が上記要求送信手段によって送信された後、上記第１の位置情報を上記第１の通信端末から受信し、上記第２の通信端末の現在位置を示す第２の位置情報を上記第２の通信端末から受信する位置情報受信手段と、上記位置情報受信手段によって受信された上記第１及び第２の位置情報に基づいて、上記第１の通信端末と上記第２の通信端末とが上記近距離通信を相互に行える所定の通信範囲内にあるか否かを判定する判定手段と、上記第１及び第２の通信端末が上記通信範囲内にあると上記判定手段によって判定されると、上記第２の通信端末と上記近距離通信を行うための第１の通信設定情報を上記第１の通信端末に送信し、上記第１の通信端末と上記近距離通信を行うための第２の通信設定情報を上記第２の通信端末に送信する通信設定情報送信手段とを有する、ことを特徴とする。そして、本発明の通信システムでは、上記第１の通信端末は、上記近距離通信用の第１の通信アドレスを含む第１の機器情報を上記管理サーバに送信する機器情報送信手段を更に有し、上記位置検出手段は、上記機器情報送信手段による上記第１の機器情報の送信後に上記管理サーバからの位置問い合わせ要求を受けると、上記位置検出装置を用いて現在位置を検出し、上記管理サーバは、上記第１の機器情報を上記第１の通信端末から受信し、上記第２の通信端末の上記近距離通信用の第２の通信アドレスを含む第２の機器情報を上記第２の通信端末から受信する機器情報受信手段を更に有し、上記要求送信手段は、上記第１及び第２の機器情報が上記機器情報受信手段によって受信されると、上記第１及び第２の通信端末のそれぞれに上記位置問い合わせ要求を送信し、上記通信設定情報送信手段は、上記第１及び第２の通信端末が上記通信範囲内にあると上記判定手段によって判定されると、上記第２の機器情報を含み上記第２の通信端末と上記近距離通信を行うための第１の通信設定情報を上記第１の通信端末に送信し、上記第１の機器情報を含み上記第１の通信端末と上記近距離通信を行うための第２の通信設定情報を上記第２の通信端末に送信する、ことを特徴とする。
【０００８】
本発明の通信制御方法は、通信端末によって行われる所定の近距離通信の通信設定情報を管理する管理サーバと、上記近距離通信が可能であり上記近距離通信を相互に行うよう上記管理サーバに予め登録されている第１及び第２の通信端末とを備えた通信システムを用いた通信制御方法であって、上記管理サーバが上記第１及び第２の通信端末のそれぞれに位置問い合わせ要求を送信する要求送信ステップと、上記第１及び第２の通信端末が上記位置問い合わせ要求をそれぞれ受信すると、上記第１の通信端末の現在位置を示す第１の位置情報を上記第１の通信端末が上記管理サーバに送信し、上記第２の通信端末の現在位置を示す第２の位置情報を上記第２の通信端末が上記管理サーバに送信する位置情報送信ステップと、上記管理サーバが上記第１及び第２の位置情報を受信すると、上記第１及び第２の位置情報に基づいて、上記第１の通信端末と上記第２の通信端末とが上記近距離通信を相互に行える所定の通信範囲内にあるか否かを上記管理サーバが判定する判定ステップと、上記判定ステップにおいて上記第１及び第２の通信端末が上記通信範囲内にあると判定された場合、上記第２の通信端末と上記近距離通信を行うための第１の通信設定情報を上記第１の通信端末に送信し、上記第１の通信端末と上記近距離通信を行うための第２の通信設定情報を上記管理サーバが上記第２の通信端末に送信する通信設定情報送信ステップと、上記第１及び第２の通信端末が上記第１及び第２の通信設定情報をそれぞれ受信すると、上記第１及び第２の通信端末が、上記第１及び第２の通信設定情報をそれぞれ用いて上記近距離通信を相互に行うための通信設定を行う通信設定ステップとを有する、ことを特徴とする。
【０００９】
本発明の管理サーバ、通信システム及び通信制御方法によれば、相互に近距離通信を行う第１及び第２の通信端末に対し近距離通信の通信設定に必要な第１及び第２の通信設定情報が送信されるので、第１及び第２の通信端末において、ユーザによる複数の手動操作が行われることなく、この第１及び第２の通信設定情報に基づいて近距離通信の通信設定が自動的に実行可能となる。
【発明の効果】
【００１０】
本発明によれば、近距離通信の通信設定が容易に行える通信端末、管理サーバ、通信システム及び通信制御方法を提供できる。
【発明を実施するための最良の形態】
【００１１】
以下、図面を参照して、本発明に係る好適な実施形態について詳細に説明する。なお、図面の説明において、可能な場合には、同一要素には同一符号を付し、重複する説明を省略する。図１に、実施形態に係る通信システム１の構成を示す。通信システム１は、管理サーバ２、第１の通信端末３及び第２の通信端末４を備える。管理サーバ２は、通信回線網Ｌ１（移動体通信網や広帯域移動無線アクセスシステム（ＢＷＡ））に設けられており、通信回線網Ｌ１の加入者登録データ（図７に示す加入者登録データＤ１であり、第１の通信端末３の加入者データＲ１等を含む）を管理する。
【００１２】
第１の通信端末３及び第２の通信端末４は、管理サーバ２の管理する加入者登録データＤ１に既に登録済みであり、通信回線網Ｌ１を介して他の通信端末（携帯電話やパーソナルコンピュータ等）と通信可能な携帯電話等である。加入者登録データＤ１に登録された第１の通信端末３及び第２の通信端末４等の通信端末は、通信回線網Ｌ１を直接利用できる。第１の通信端末３及び第２の通信端末４は、通信回線網Ｌ１やインターネット等を介して、管理サーバ２や他の通信端末に通信接続できる。また、第１の通信端末３及び第２の通信端末４は、例えばＢｌｕｅｔｏｏｔｈ（登録商標）規格等の近距離通信Ｌ２を相互に（又は他の通信端末と）行うための構成（後述する近距離通信装置３ｈや近距離通信装置４ｈ）を有する。なお、近距離通信Ｌ２を行うための通信設定情報（通信相手の端末の機器情報、ＰＩＮコード情報、マスタ／スレイブ情報）は、加入者登録データＤ１に含まれている。従って、加入者登録データＤ１は、近距離通信Ｌ２を行うための通信設定情報でもある。
【００１３】
加入者登録データＤ１は、図７に示すように、加入者識別子情報Ｄ１１、加入者情報Ｄ１２、ＰＩＮコード情報Ｄ１３、機器情報Ｄ１４及びマスタ／スレイブ情報Ｄ１５を含む。加入者登録データＤ１の加入者データＲ１は、第１の通信端末３の加入者データであり、加入者データＲ２は、第２の通信端末４の加入者データである。第１の通信端末３は、第１の通信端末３を識別するためのＳＩＭ等の第１の加入者識別子情報（例えば、「Ｘｘｙｙｚｚ１」）を内蔵メモリ（後述のＲＯＭ３ｃや記録装置３ｇ）に格納する。この第１の通信端末３の第１の加入者識別子情報は、加入者データＲ１の加入者識別子情報Ｄ１１に登録されている。第２の通信端末４は、第２の通信端末４を識別するためのＳＩＭ等の第２の加入者識別子情報（例えば、「Ｘｘｙｙｚｚ２」）を内蔵メモリ（後述のＲＯＭ４ｃや記録装置４ｇ）に格納する。この第２の通信端末４の第２の加入者識別子情報は、加入者データＲ２の加入者識別子情報Ｄ１１に登録されている。
【００１４】
第１の通信端末３の加入者情報（第１の通信端末３の名義人の氏名や住所等）は、加入者データＲ１の加入者情報Ｄ１２に登録されており、第２の通信端末４の加入者情報（第２の通信端末４の名義人の氏名や住所等）は、加入者データＲ２の加入者情報Ｄ１２に登録されている。第１の通信端末３のＰＩＮコード情報（例えば、「０１２３」）は、加入者データＲ１のＰＩＮコード情報Ｄ１３に登録されており、第２の通信端末４のＰＩＮコード情報（例えば、「０１２３」）は、加入者データＲ２のＰＩＮコード情報Ｄ１３に登録されている。
【００１５】
機器情報Ｄ１４（近距離通信Ｌ２用の近距離通信アドレスや、通信端末の機器名／種別等）の内容は、第１の通信端末３や第２の通信端末４等の通信端末の初回起動時（第１回目の起動時）にこの通信端末から管理サーバ２に送信され、機器情報Ｄ１４に登録される。第１の通信端末３は、初回起動時（第１回目の起動時）に、第１の通信端末３の近距離通信Ｌ２用の第１の通信アドレスを含む第１の機器情報（機器情報Ｄ１４に登録される情報）を、第１の通信端末３の加入者識別子情報と共に管理サーバ２に送信し、第２の通信端末４は、初回起動時（第１回目の起動時）に、第２の通信端末４の近距離通信Ｌ２用の第２の通信アドレスを含む第２の機器情報（機器情報Ｄ１４に登録される情報）を第２の通信端末４の加入者識別子情報と共に管理サーバ２に送信する。このように第１の通信端末３から送信された第１の通信端末３の近距離通信Ｌ２用の近距離通信アドレス（例えば、「００：００：００：００：００：０Ａ」）は、加入者データＲ１の機器情報Ｄ１４に登録されており、第２の通信端末４から送信された第２の通信端末４の近距離通信Ｌ２用の近距離通信アドレス（例えば「００：００：００：００：００：０Ｂ」）は、加入者データＲ２の機器情報Ｄ１４に登録されている。第１の通信端末３の機器名／種別（例えば、「機器Ａ」）は、加入者データＲ１の機器情報Ｄ１４に登録されており、第２の通信端末４の機器名／種別（例えば、「機器Ｂ」）は、加入者データＲ２の機器情報Ｄ１４に登録されている。
【００１６】
マスタ／スレイブ情報Ｄ１５は、近距離通信Ｌ２の実行時に通信端末がマスタ、スレイブの何れとして動作するのかを示す情報である。第１の通信端末３のマスタ／スレイブ情報（例えば、「マスタ」）は、加入者データＲ１のマスタ／スレイブ情報Ｄ１５に登録されており、第２の通信端末４のマスタ／スレイブ情報（例えば、「スレイブ」）は、加入者データＲ２のマスタ／スレイブ情報Ｄ１５に登録されている。すなわち、加入者登録データＤ１には、第１の通信端末３と第２の通信端末４とが、近距離通信Ｌ２を相互に行う通信相手として管理サーバ２に予め登録されている。
【００１７】
次に、図２及び図３を参照して、管理サーバ２の構成を説明する。管理サーバ２は、図２に示すように、物理的には、ＣＰＵ２ａ、ＲＡＭ２ｂ、ＲＯＭ２ｃ、通信装置２ｄ及び記録装置２ｅを有しており、これらはバス２ｆに接続されている。ＣＰＵ２ａは、ＲＯＭ２ｃや記録装置２ｅ等の内蔵メモリに格納された所定のコンピュータソフトウェア（図６に示す管理サーバ２の行う処理を実行するためのコンピュータプログラム等を含む）をＲＡＭ２ｂにロードして実行することにより、管理サーバ２を統括的に制御する。通信装置２ｄは、通信回線網Ｌ１やインターネット等を介して第１の通信端末３や第２の通信端末４と通信を行うためのインターフェースを有する。記録装置２ｅは、書き込み／読み出し自在なメモリであり、図７に示す加入者登録データＤ１を格納する。
【００１８】
管理サーバ２は、図３に示すように、機能的には、機器情報受信部２１、要求送信部２２、位置情報受信部２３、判定部２４及び通信設定情報送信部２５を有する。これらの機器情報受信部２１〜通信設定情報送信部２５は、ＣＰＵ２ａがＲＯＭ２ｃや記録装置２ｅ等に格納された上記コンピュータソフトウェアを実行し、図２に示す管理サーバ２の各構成部を動作させることにより実現される機能である。ＣＰＵ２ａは、上記コンピュータソフトウェアを実行することにより（特に、機器情報受信部２１〜通信設定情報送信部２５を用いて）、図６に示す管理サーバ２の行う処理を実行する。
【００１９】
機器情報受信部２１は、第１の通信端末３の第１の通信アドレスを含む第１の機器情報（機器情報Ｄ１４に登録される情報）を第１の通信端末３から受信し、第２の通信端末４の第２の通信アドレスを含む第２の機器情報（機器情報Ｄ１４に登録される情報）を第２の通信端末４から受信する。要求送信部２２は、第１及び第２の機器情報が機器情報受信部２１によって受信されると、第１の通信端末３の現在位置を第１の通信端末３に問い合わせるための位置問い合わせ要求（第１の通信端末３の現在位置を示す位置情報を取得するための要求）と、第２の通信端末４の現在位置を第２の通信端末４に問い合わせるための位置問い合わせ要求（第２の通信端末４の現在位置を示す位置情報を取得するための要求）とを、第１の通信端末３及び第２の通信端末４にそれぞれ送信する。
【００２０】
位置情報受信部２３は、第１の通信端末３及び第２の通信端末４の現在位置を問い合わせるための位置問い合わせ要求が要求送信部２２によって送信された後、第１の通信端末３の現在位置を示す第１の位置情報を第１の通信端末３から受信し、第２の通信端末４の現在位置を示す第２の位置情報を第２の通信端末４から受信する。判定部２４は、位置情報受信部２３によって受信された第１及び第２の位置情報に基づいて、第１の通信端末３及び第２の通信端末４が近距離通信Ｌ２が相互に行える所定の通信範囲内にあるか否かを判定する。
【００２１】
通信設定情報送信部２５は、第１の通信端末３及び第２の通信端末４が上記所定の通信範囲内にあると判定部２４により判定されると、第２の通信端末４と近距離通信Ｌ２を行うための第１の通信設定情報を第１の通信端末３に送信し、第１の通信端末３と近距離通信Ｌ２を行うための第２の通信設定情報を第２の通信端末４に送信する。第１の通信設定情報は、加入者データＲ２に登録されている第２の通信端末４の第２の機器情報、ＰＩＮコード情報及びマスタ／スレイブ情報を含み、第２の通信設定情報は、加入者データＲ１に登録されている第１の通信端末３の第１の機器情報、ＰＩＮコード情報及びマスタ／スレイブ情報を含む。
【００２２】
次に、図４及び図５を参照して、第１の通信端末３の構成を説明する。第１の通信端末３は、図３に示すように、物理的には、ＣＰＵ３ａ、ＲＡＭ３ｂ、ＲＯＭ３ｃ、入力装置３ｄ、出力装置３ｅ、通信装置３ｆ、記録装置３ｇ、近距離通信装置３ｈ及び位置検出装置３ｉを有しており、これらはバス３ｊに接続されている。ＣＰＵ３ａは、ＲＯＭ３ｃや記録装置３ｇ等の内蔵メモリに格納された所定のコンピュータソフトウェア（図６に示す第１の通信端末３の行う処理を実現するためのコンピュータプログラム等を含む）をＲＡＭ３ｂにロードして実行することにより、第１の通信端末３を統括的に制御する。入力装置３ｄは、キーボード等を有し、このキーボード等から各種データ入力が行われる。
【００２３】
出力装置３ｅは、ＬＣＤ等のディスプレイや、スピーカ等を有する。通信装置３ｆは、通信回線網Ｌ１やインターネット等を介して管理サーバ２や、第２の通信端末４等の他の通信端末等と通信を行うためのインターフェースを有する。記録装置３ｇは、第１の通信端末３の第１の機器情報を格納する。また、記録装置３ｇは、ＵＳＩＭ（User Subscriber Module）を着脱自在に有し、第１の加入者識別子情報「Ｘｘｙｙｚｚ１」等をこのＵＳＩＭに格納する。近距離通信装置３ｈは、第２の通信端末４等の他の通信端末等と近距離通信Ｌ２を行うための通信装置である。位置検出装置３ｉは、ＧＰＳデータを受信する機能を有しており、第１の通信端末３の現在位置を示す位置情報をＧＰＳデータを用いて検出する。
【００２４】
第１の通信端末３は、図５に示すように、機能的には、機器情報送信部３１、位置検出部３２、位置情報送信部３３、通信設定情報受信部３４及び通信設定部３５を有する。これらの機器情報送信部３１〜通信設定部３５は、ＣＰＵ３ａがＲＯＭ３ｃや記録装置３ｇ等に格納された上記コンピュータソフトウェアを実行し、図４に示す第１の通信端末３の各構成部を動作させることにより実現される機能である。ＣＰＵ３ａは、上記コンピュータソフトウェアを実行することにより（特に、機器情報送信部３１〜通信設定部３５を用いて）、図６に示す第１の通信端末３の行う処理を実行する。
【００２５】
機器情報送信部３１は、初回起動時（第１回目の起動時）に、近距離通信Ｌ２用の第１の通信アドレスを含む第１の機器情報を、第１の通信端末３の第１の加入者識別子情報と共に管理サーバ２に自動的に送信する。位置検出部３２は、機器情報送信部３１による第１の機器情報及び第１の加入者識別子情報の送信後に管理サーバ２からの位置問い合わせ要求を受けると、位置検出装置３ｉを用いて第１の通信端末３の現在位置を検出する。位置情報送信部３３は、位置検出部３２によって検出された第１の通信端末３の現在位置を示す第１の位置情報を、管理サーバ２に送信する。
【００２６】
通信設定情報受信部３４は、位置情報送信部３３による第１の通信端末３の第１の位置情報の送信後、近距離通信Ｌ２を介した第１の通信端末３の通信相手として管理サーバ２に予め登録されておりこの第１の位置情報から近距離通信Ｌ２が可能と管理サーバ２によって判定された他通信端末の近距離通信用の通信アドレスを含む通信設定情報を、前記管理サーバから受信する。第１の通信端末３の第１の位置情報から、近距離通信Ｌ２を介した第１の通信端末３の通信相手として管理サーバ２に予め登録された第２の通信端末４が第１の通信端末３と近距離通信Ｌ２が行えると管理サーバ２によって判定された場合、第２の通信端末４と近距離通信Ｌ２を行うための第１の通信設定情報が管理サーバ２から第１の通信端末３に送信される。この場合、通信設定部３５は、通信設定情報受信部３４によって受信される第１の通信設定情報に基づき、第２の通信端末４と近距離通信Ｌ２を行うための通信設定を行う。
【００２７】
なお、第２の通信端末４の構成は、第１の通信端末３の構成と同様である（少なくとも上述した第１の通信端末３の構成を含む）。第２の通信端末４の構成を、第１の通信端末３の構成と共に図４及び図５に示す。第２の通信端末４は、図３に示すように、物理的には、ＣＰＵ４ａ、ＲＡＭ４ｂ、ＲＯＭ４ｃ、入力装置４ｄ、出力装置４ｅ、通信装置４ｆ、記録装置４ｇ、近距離通信装置４ｈ及び位置検出装置４ｉを有しており、これらはバス４ｊに接続されている。ＣＰＵ４ａ、ＲＡＭ４ｂ、ＲＯＭ４ｃ、入力装置４ｄ、出力装置４ｅ、通信装置４ｆ、記録装置４ｇ、近距離通信装置４ｈ、位置検出装置４ｉ及びバス４ｊは、上述のＣＰＵ３ａ、ＲＡＭ３ｂ、ＲＯＭ３ｃ、入力装置３ｄ、出力装置３ｅ、通信装置３ｆ、記録装置３ｇ、近距離通信装置３ｈ、位置検出装置３ｉ及びバス３ｊのそれぞれと同様なので、以下では、ＣＰＵ３ａ〜バス３ｊとの相違点のみ説明する。
【００２８】
ＣＰＵ４ａは、ＲＯＭ４ｃや記録装置４ｇ等の内蔵メモリに格納された所定のコンピュータソフトウェア（図６に示す第２の通信端末４の行う処理を実現するためのコンピュータプログラム等を含む）をＲＡＭ４ｂにロードして実行することにより、第２の通信端末４を統括的に制御する。通信装置４ｆは、通信回線網Ｌ１やインターネット等を介して管理サーバ２や、第１の通信端末３等の他の通信端末等と通信を行うためのインターフェースを有する。記録装置４ｇは、第２の通信端末４の第２の機器情報を格納する。また、記録装置４ｇは、ＵＳＩＭを着脱自在に有し、第２の加入者識別子情報「Ｘｘｙｙｚｚ２」等をこのＵＳＩＭに格納する。近距離通信装置４ｈは、第１の通信端末３等の他の通信端末等と近距離通信Ｌ２を行うための通信装置である。位置検出装置４ｉは、ＧＰＳデータを受信する機能を有しており、第２の通信端末４の現在位置を示す位置情報をＧＰＳデータを用いて検出する。
【００２９】
また、第２の通信端末４は、図５に示すように、機能的には、機器情報送信部４１、位置検出部４２、位置情報送信部４３、通信設定情報受信部４４及び通信設定部４５を有する。これらの機器情報送信部４１〜通信設定部４５は、ＣＰＵ４ａがＲＯＭ４ｃや記録装置４ｇ等に格納された上記コンピュータソフトウェアを実行し、図４に示す第２の通信端末４の各構成部を動作させることにより実現される機能である。ＣＰＵ４ａは、上記コンピュータソフトウェアを実行することにより（特に、機器情報送信部４１〜通信設定部４５を用いて）、図６に示す第２の通信端末４の行う処理を実行する。
【００３０】
機器情報送信部４１は、初回起動時（第１回目の起動時）に、近距離通信Ｌ２用の第２の通信アドレスを含む第２の機器情報を、第２の通信端末４の第２の加入者識別子情報と共に管理サーバ２に自動的に送信する。位置検出部４２は、機器情報送信部４１による第２の機器情報及び第２の加入者識別子情報の送信後に管理サーバ２からの位置問い合わせ要求を受けると、位置検出装置４ｉを用いて第２の通信端末４の現在位置を検出する。位置情報送信部４３は、位置検出部４２によって検出された第２の通信端末４の現在位置を示す第２の位置情報を、管理サーバ２に送信する。
【００３１】
通信設定情報受信部４４は、位置情報送信部４３による第２の通信端末４の第２の位置情報の送信後、近距離通信Ｌ２を介した第２の通信端末４の通信相手として管理サーバ２に予め登録されておりこの第２の位置情報から近距離通信Ｌ２が可能と管理サーバ２によって判定された他通信端末の近距離通信用の通信アドレスを含む通信設定情報を、管理サーバ２から受信する。第２の通信端末４の第２の位置情報から、近距離通信Ｌ２を介した第２の通信端末４の通信相手として管理サーバ２に予め登録された第１の通信端末３が第２の通信端末４と近距離通信Ｌ２が行えると管理サーバ２によって判定された場合、第１の通信端末３と近距離通信Ｌ２を行うための第１の通信端末３の第２の通信設定情報が管理サーバ２から第２の通信端末４に送信される。この場合、通信設定部４５は、通信設定情報受信部４４によって受信される第２の通信設定情報に基づき、第１の通信端末３と近距離通信Ｌ２を行うための通信設定を行う。
【００３２】
次に、図６を参照して、通信システム１の動作を説明する。まず、第１の通信端末３が最初（第１回目）の起動を行うと、機器情報送信部３１は、第１の通信端末３の第１の機器情報を第１の加入者識別子情報と共に管理サーバ２に自動的に送信する（ステップＳ１）。管理サーバ２の機器情報受信部２１は、この第１の機器情報と第１の加入者識別子情報とを第１の通信端末３から受信すると（ステップＳ２）、この第１の加入者識別子情報をキーに加入者登録データＤ１から加入者データＲ１を検索し、この第１の機器情報を加入者データＲ１の機器情報Ｄ１４に登録する（ステップＳ３）。また、第２の通信端末４が最初（第１回目）の起動を行うと、機器情報送信部４１は、第２の通信端末４の第２の機器情報を第２の加入者識別子情報と共に管理サーバ２に自動的に送信する（ステップＳ４）。管理サーバ２の機器情報受信部２１は、この第２の機器情報と第２の加入者識別子情報とを第２の通信端末４から受信すると（ステップＳ５）、この第２の加入者識別子情報をキーに加入者登録データＤ１から加入者データＲ２を検索し、この第２の機器情報を加入者データＲ２の機器情報Ｄ１４に登録する（ステップＳ６）。
【００３３】
なお、例えば、第１の通信端末３が第３の通信端末に変更された場合、第１の加入者識別子情報を格納するＵＳＩＭがこの第３の通信端末に装着される。そして、第３の通信端末は、このＵＳＩＭの装着後に最初（第１回目）の起動を行うと、この第３の通信端末の機器情報（近距離通信アドレス、機器名／種別）を、ＵＳＩＭに格納された第１の加入者識別子情報と共に管理サーバ２に送信する。管理サーバ２は、加入者データＲ１の機器情報Ｄ１４に登録されている機器情報を、第３の通信端末から送信された第３の通信端末の機器情報に更新する。このようにして、通信端末が変更されても、変更後の通信端末の機器情報が管理サーバ２に確実に登録される。
【００３４】
ステップＳ３及びステップＳ６の後、要求送信部２２は、第１の通信端末３の現在位置を問い合わせるための位置問い合わせ要求を第１の通信端末３に送信し（ステップＳ７）、第２の通信端末４の現在位置を問い合わせるための位置問い合わせ要求を第２の通信端末４に送信する（ステップＳ８）。なお、ステップＳ７及びステップＳ８の実行順序は、何れが先であってもよい。ステップＳ７の後、第１の通信端末３が管理サーバ２からの位置問い合わせ要求を受信すると、位置検出部３２は、位置検出装置３ｉを用いて第１の通信端末３の現在位置を検出し（ステップＳ９）、位置情報送信部３３は、この検出された第１の通信端末３の現在位置を示す第１の位置情報を管理サーバ２に送信する（ステップＳ１０）。管理サーバ２の位置情報受信部２３は、第１の通信端末３から送信された第１の位置情報を受信し、この第１の位置情報をＲＡＭ２ｂ又は記録装置２ｅに記録する（ステップＳ１１）。
【００３５】
ステップＳ８の後、第２の通信端末４が管理サーバ２からの位置問い合わせ要求を受信すると、位置検出部４２は、位置検出装置４ｉを用いて第２の通信端末４の現在位置を検出し（ステップＳ１２）、位置情報送信部４３は、この検出された第２の通信端末４の現在位置を示す第２の位置情報を管理サーバ２に送信する（ステップＳ１３）。管理サーバ２の位置情報受信部２３は、第２の通信端末４から送信された第２の位置情報を受信し、この第２の位置情報をＲＡＭ２ｂ又は記録装置２ｅに記録する（ステップＳ１４）。なお、ステップＳ９及びステップＳ１２の実行順序については、何れが先であってもよく、ステップＳ１０及びステップＳ１３の実行順序については、何れが先であってもよい。
【００３６】
ステップＳ１１及びステップＳ１４の後、管理サーバ２の判定部２４は、ＲＡＭ２ｂ又は記録装置２ｅに記録された第１の通信端末３及び第２の通信端末４のそれぞれの第１及び第２の位置情報に基づいて、第１の通信端末３及び第２の通信端末４が、近距離通信Ｌ２の可能な通信範囲内にあるか否かを判定する（ステップＳ１５）。ステップＳ１５において、第１の通信端末３及び第２の通信端末４が近距離通信Ｌ２の可能な通信範囲内にないと判定された場合、管理サーバ２は、例えば、第１の通信端末３及び第２の通信端末４が近距離通信Ｌ２の可能な通信範囲内にあると判定されるまでステップＳ７及びステップＳ８を所定時間毎に行い、第１の通信端末３及び第２の通信端末４が近距離通信Ｌ２の可能な通信範囲内にあると判定された場合、通信設定情報送信部２５は、加入者データＲ２に登録されている第２の通信端末４の第２の機器情報、ＰＩＮコード情報及びマスタ／スレイブ情報を含む第１の通信設定情報を記録装置２ｅから読み出して第１の通信端末３に送信し（ステップＳ１６）、加入者データＲ１に登録されている第１の通信端末３の第１の機器情報、ＰＩＮコード情報及びマスタ／スレイブ情報を含む第２の通信設定情報を記録装置２ｅから読み出して第２の通信端末４に送信する（ステップＳ１８）。
【００３７】
第１の通信端末３が、第２の通信端末４と近距離通信Ｌ２を行うための第１の通信設定情報を管理サーバ２から受信し、第２の通信端末４が、第１の通信端末３と近距離通信Ｌ２を行うための第２の通信設定情報を管理サーバ２から受信すると、第１の通信端末３の通信設定部３５と第２の通信端末４の通信設定部４５とは、第１の通信端末３と第２の通信端末４とが相互に近距離通信Ｌ２を行うための通信設定処理を行う（ステップＳ２０）。
【００３８】
次に、実施形態に係る管理サーバ２の作用・効果を説明する。管理サーバ２は、複数の通信端末のそれぞれの機器情報を管理する。管理サーバ２は、機器情報受信部２１、要求送信部２２、位置情報受信部２３、判定部２４及び通信設定情報送信部２５を備える。機器情報受信部２１は、近距離通信Ｌ２が可能であり近距離通信Ｌ２を相互に行うように予め登録されている第１の通信端末３及び第２の通信端末４から、第１の通信端末３の近距離通信Ｌ２用の第１の通信アドレスを含む第１の機器情報と、第２の通信端末４の近距離通信Ｌ２用の第２の通信アドレスを含む第２の機器情報とを受信する。要求送信部２２は、第１及び第２の機器情報が通信設定情報受信部２１によって受信されると、第１の通信端末３及び第２の通信端末４のそれぞれに位置問い合わせ要求を送信する。位置情報受信部２３は、上記位置問い合わせ要求が要求送信部２２によって送信された後、第１の通信端末３の現在位置を示す第１の位置情報を第１の通信端末３から受信し、第２の通信端末４の現在位置を示す第２の位置情報を第２の通信端末４から受信する。判定部２４は、位置情報受信部２３によって受信された第１及び第２の位置情報に基づいて、第１の通信端末３及び第２の通信端末４が近距離通信Ｌ２を相互に行える所定の通信範囲内にあるか否かを判定する。通信設定情報送信部２５は、第１の通信端末３及び第２の通信端末４が近距離通信Ｌ２の通信範囲内にあると判定部２４によって判定されると、第２の通信端末４の第２の機器情報を含み第２の通信端末４と近距離通信Ｌ２を行うための第１の通信設定情報を第１の通信端末３に送信し、第１の通信端末３の第１の機器情報を含み第１の通信端末３と近距離通信Ｌ２を行うための第２の通信設定情報を第２の通信端末４に送信する。
【００３９】
従って、管理サーバ２は、相互に近距離通信Ｌ２を行う第１の通信端末３及び第２の通信端末４に対し、近距離通信Ｌ２の通信設定に必要な第１及び第２の通信設定情報（通信相手の端末の機器情報、ＰＩＮコード情報及びマスタ／スレイブ情報）を送信するので、第１の通信端末３及び第２の通信端末４において、ユーザによる複数の手動操作が行われることなく、この第１及び第２の通信設定情報に基づいて近距離通信Ｌ２の通信設定が自動的に実行可能となる。更に、相互に近距離通信Ｌ２を行う第１の通信端末３及び第２の通信端末４が近距離通信Ｌ２の可能な通信範囲内にある場合にのみ、近距離通信Ｌ２の通信設定に必要な第１及び第２の通信設定情報が第１の通信端末３及び第２の通信端末４にそれぞれ送信されるので、近距離通信Ｌ２の通信設定が確実に行える。
【００４０】
次に、実施形態に係る第１の通信端末３の作用・効果を説明する。なお、第２の通信端末４は第１の通信端末３と同様の構成を有するので、以下では第２の通信端末４についての説明は省略する。第１の通信端末３は、近距離通信Ｌ２を行うための近距離通信装置３ｈと、第１の通信端末３の現在位置を検出するための位置検出装置３ｉとを備える。第１の通信端末３は、機器情報送信部３１、位置検出部３２、位置情報送信部３３、通信設定情報受信部３４及び通信設定部３５を備える。機器情報送信部３１は、近距離通信Ｌ２の第１の通信アドレスを含む第１の機器情報を、近距離通信Ｌ２の通信設定情報を管理する管理サーバに送信する。位置検出部３２は、機器情報送信部３１による第１の機器情報の送信後に管理サーバ２からの位置問い合わせ要求を受けると、位置検出装置３ｉを用いて第１の通信端末３の現在位置を検出する。位置情報送信部３３は、位置検出部３２によって検出された第１の通信端末３の現在位置を示す第１の位置情報を、管理サーバ２に送信する。通信設定情報受信部３４は、位置情報送信部３３による第１の通信端末３の位置情報の送信後、近距離通信Ｌ２の通信相手として管理サーバ２に予め登録されておりこの第１の位置情報から近距離通信Ｌ２が可能と管理サーバ２によって判定された第１の通信端末３と近距離通信Ｌ２を行うための第１の通信設定情報を、管理サーバ２から受信する。通信設定部３５は、通信設定情報受信部３４によって受信された第１の通信設定情報に基づき、第２の通信端末４と近距離通信Ｌ２を行うための通信設定を行う。
【００４１】
従って、第１の通信端末は、近距離通信Ｌ２の通信設定に必要な第１の通信設定情報（近距離通信Ｌ２の通信相手である第２の通信端末４の第２の機器情報、ＰＩＮコード情報及びマスタ／スレイブ情報）が管理サーバ２から提供されるので、管理サーバ２から送信されたこの第１の通信設定情報に基づいて近距離通信Ｌ２の通信設定が自動的に実行可能となる。よって、近距離通信Ｌ２の通信設定が、ユーザの手動操作によらずに実行可能となる。更に、近距離通信Ｌ２の可能な所定範囲内にある第２の通信端末４に対してのみ、近距離通信Ｌ２の通信設定に必要な通信設定情報がこの第２の通信端末４に送信されるので、近距離通信Ｌ２の通信設定が確実に行える。
【図面の簡単な説明】
【００４２】
【図１】実施形態に係る通信システムの構成を示す図である。
【図２】実施形態に係る管理サーバの構成を示す図である。
【図３】実施形態に係る管理サーバの構成を示す図である。
【図４】実施形態に係る第１及び第２の通信端末の構成を示す図である。
【図５】実施形態に係る第１及び第２の通信端末の構成を示す図である。
【図６】実施形態に係る通信システムの動作を説明するためのシーケンスである。
【図７】実施形態に係る管理サーバの管理する通信設定情報の一例を示す図である。
【符号の説明】
【００４３】
１…通信システム、２…管理サーバ、２１…機器情報受信部、２２…要求送信部、２３…位置情報受信部、２４…判定部、２５…通信設定情報送信部、２ａ…ＣＰＵ、２ｂ…ＲＡＭ、２ｃ…ＲＯＭ、２ｄ…通信装置、２ｅ…記録装置、２ｆ…バス、３…第１の通信端末、３１，４１…機器情報送信部、３２，４２…位置検出部、３３，４３…位置情報送信部、３４，４４…通信設定情報受信部、３５，４５…通信設定部、３ａ，４ａ…ＣＰＵ、３ｂ，４ｂ…ＲＡＭ、３ｃ，４ｃ…ＲＯＭ、３ｄ，４ｄ…入力装置、３ｅ，４ｅ…出力装置、３ｆ，４ｆ…通信装置、３ｇ，４ｇ…記録装置、３ｈ，４ｈ…近距離通信装置、３ｉ，４ｉ…位置検出装置、３ｊ，４ｊ…バス、４…第２の通信端末、Ｄ１…加入者登録データ、Ｄ１１…加入者識別子情報、Ｄ１２…加入者情報、Ｄ１３…ＰＩＮコード情報、Ｄ１４…機器情報、Ｄ１５…マスタ／スレイブ情報、Ｌ１…通信回線網、Ｌ２…近距離通信、Ｒ１，Ｒ２…加入者データ
【図１】
2009303144.tif 000003
【図２】
2009303144.tif 000004
【図３】
2009303144.tif 000005
【図４】
2009303144.tif 000006
【図５】
2009303144.tif 000007
【図６】
2009303144.tif 000008
【図７】
2009303144.tif 000009